(57)【要約】【課題】法規要件を満たしつつ、コスト削減及び小型化を実現することができる車両用灯具を提供する。【解決手段】入力電流を供給する点灯回路１と、第１の発光素子群ＬＤｍと、第１の発光素子群ＬＤｍとは並列に設けられている第２の発光素子群ＬＤｎと、点灯回路１から供給される入力電流の供給先を、第１の発光素子群ＬＤｍ及び第２の発光素子群ＬＤｎの何れか一方に切り替える負荷切替回路３と、を含む。負荷切替回路３は、点灯回路１を制御するＰＷＭ制御信号を出力するＰＷＭ制御部と、ＰＷＭ制御部から出力されるＰＷＭ制御信号に基づき、第１の発光素子群ＬＤｍ及び第２の発光素子群ＬＤｎの何れか一方に切り替える切替タイミングを遅延させる遅延回路と、を含む。【選択図】図１
2019207820.tif 000002
【特許請求の範囲】
【請求項１】
入力電流を供給する点灯回路と、
第１の発光素子群と、
前記第１の発光素子群とは並列に設けられている第２の発光素子群と、
前記点灯回路から供給される入力電流の供給先を、前記第１の発光素子群及び前記第２の発光素子群の何れか一方に切り替える負荷切替回路と、
を備え、
前記負荷切替回路は、
前記点灯回路を制御するＰＷＭ制御信号を出力するＰＷＭ制御部と、
前記ＰＷＭ制御部から出力されるＰＷＭ制御信号に基づき、前記第１の発光素子群及び前記第２の発光素子群の何れか一方に切り替える切替タイミングを遅延させる遅延回路と、
を備える、
車両用灯具。
【請求項２】
前記負荷切替回路は、
前記遅延回路から出力される出力電圧と、点灯入力信号と、に基づき、前記切替タイミングを遅延させる遅延時間を決定する切替制御部、
をさらに備え、
前記点灯入力信号は、
デイタイムランニングランプ、ターンランプ、及びクリアランスランプのうち、少なくとも１つに対応する信号である、
請求項１に記載の車両用灯具。
【請求項３】
前記遅延回路は、
前記切替タイミングを定める時定数を設定する時定数設定部と、
前記点灯入力信号に応じて、前記時定数設定部により定められる前記時定数を調整する時定数調整部と、
を備える、
請求項２に記載の車両用灯具。
【発明の詳細な説明】
【技術分野】
【０００１】
本発明は、車両用灯具に関する。
【背景技術】
【０００２】
近年、ターンランプ及びクリアランスランプの他にデイタイムランニングランプの機能も備える車両用灯具が提供されている。ターンランプ、クリアランスランプ及びデイタイムランニングランプのそれぞれに要求される電力を供給するために、ＰＷＭ制御による電源回路が使用されている（例えば、特許文献１，２参照）。
【先行技術文献】
【特許文献】
【０００３】
【特許文献１】特開２０１５−２３０４２３号公報
【特許文献２】特開２０１６−０４８９８８号公報
【発明の概要】
【発明が解決しようとする課題】
【０００４】
しかし、特許文献１，２に記載のような従来技術は、ターンランプ、クリアランスランプ及びデイタイムランニングランプのそれぞれに応じて点灯回路が実装され、これらを切り替える切替回路も別途それぞれ必要である。さらに、法規要件を満たすには、ターンランプ、クリアランスランプ及びデイタイムランニングランプのうち、何れか１つが点灯時には他は消灯させることが要求されるため、専用のタイマーＩＣ又はマイコンが別途使用されている。よって、容量の大きい素子、専用回路及び冗長な高機能回路が必要なため、高コスト且つ部品点数が増える。したがって、特許文献１，２に記載のような従来技術では、法規要件を満たしつつ、コスト削減及び小型化を実現することができない。
【０００５】
本開示はこのような状況に鑑みてなされたものであり、法規要件を満たしつつ、コスト削減及び小型化を実現することができるようにするものである。
【課題を解決するための手段】
【０００６】
本開示の一側面である車両用灯具は、入力電流を供給する点灯回路と、第１の発光素子群と、前記第１の発光素子群とは並列に設けられている第２の発光素子群と、前記点灯回路から供給される入力電流の供給先を、前記第１の発光素子群及び前記第２の発光素子群の何れか一方に切り替える負荷切替回路と、を備え、前記負荷切替回路は、前記点灯回路を制御するＰＷＭ制御信号を出力するＰＷＭ制御部と、前記ＰＷＭ制御部から出力されるＰＷＭ制御信号に基づき、前記第１の発光素子群及び前記第２の発光素子群の何れか一方に切り替える切替タイミングを遅延させる遅延回路と、を備える。
【０００７】
また、本開示の一側面である車両用灯具においては、前記負荷切替回路は、前記遅延回路から出力される出力電圧と、点灯入力信号と、に基づき、前記切替タイミングを遅延させる遅延時間を決定する切替制御部、をさらに備え、前記点灯入力信号は、デイタイムランニングランプ、ターンランプ、及びクリアランスランプのうち、少なくとも１つに対応する信号である、ことが好ましい。
【０００８】
また、本開示の一側面である車両用灯具においては、前記遅延回路は、前記切替タイミングを定める時定数を設定する時定数設定部と、前記点灯入力信号に応じて、前記時定数設定部により定められる前記時定数を調整する時定数調整部と、を備える、ことが好ましい。
【発明の効果】
【０００９】
本開示の一側面によれば、法規要件を満たしつつ、コスト削減及び小型化を実現することができる。
【図面の簡単な説明】
【００１０】
【図１】本開示を適用した実施形態に係る車両用灯具の回路図である。
【図２】本開示を適用した実施形態に係る負荷切替回路３の機能構成を示すブロック図である。
【図３】本開示を適用した実施形態に係る遅延回路３２の回路構成例を示す図である。
【図４】本開示を適用した実施形態に係るＤＴＲＬ点灯からＴｒＬ点灯切替時の遅延時間の設定例を説明するタイムチャートである。
【図５】本開示を適用した実施形態に係るＤＴＲＬ点灯からＴｒＬ点灯切替後の遅延時間の設定例を説明するタイムチャートである。
【図６】本開示を適用した実施形態に係るＣＬＬ点灯からＴｒＬ点灯切替時の遅延時間の設定例を説明するタイムチャートである。
【発明を実施するための形態】
【００１１】
以下、本開示を適用した車両用灯具の実施形態を図面に基づいて詳細に説明する。なお、この実施形態により本開示が限定されるものではない。
【００１２】
実施形態１．
（概略構成）
図１は、本開示を適用した実施形態に係る車両用灯具の回路図である。車両用灯具は、例えば前照灯（ヘッドランプ）であって、ヘッドランプユニットが車両の前部の左右両端部に搭載されている。車両用灯具は、点灯回路１、負荷切替回路３、第１の発光素子群ＬＤｍ及び第２の発光素子群ＬＤｎを備えている。点灯回路１は、第１の発光素子群ＬＤｍ及び第２の発光素子群ＬＤｎの何れか一方に入力電流を供給する。第１の発光素子群ＬＤｍは、発光素子ＬＤ＿Ａ１〜ＬＤ＿Ａｍを備えている。発光素子ＬＤ＿Ａ１〜ＬＤ＿Ａｍのそれぞれは直列に接続されている。発光素子ＬＤ＿Ａ１〜ＬＤ＿Ａｍのそれぞれは、例えば、ＬＥＤ（Ｌｉｇｈｔ  Ｅｍｉｔｔｉｎｇ  Ｄｉｏｄｅ）から構成されている。第２の発光素子群ＬＤｎは、第１の発光素子群ＬＤｍとは並列に設けられている。第２の発光素子群ＬＤｎは、発光素子ＬＤ＿Ｂ１〜ＬＤ＿Ｂｎを備えている。発光素子ＬＤ＿Ｂ１〜ＬＤ＿Ｂｎのそれぞれは直列に接続されている。負荷切替回路３は、点灯回路１から供給される入力電流の供給先を、第１の発光素子群ＬＤｍ及び第２の発光素子群ＬＤｎの何れか一方に切り替える。
【００１３】
車両用灯具は、負荷切替回路３に入力される点灯入力信号の組み合わせで第１の発光素子群ＬＤｍ及び第２の発光素子群ＬＤｎの点灯間隔及び点灯電流を変化させて光量を制御する。点灯入力信号は、デイタイムランニングランプ、ターンランプ、及びクリアランスランプのうち、少なくとも１つに対応する信号である。点灯回路１は、負荷切替回路３から入力される電流設定信号及びＯＮ／ＯＦＦ制御信号に基づき、第１の発光素子群ＬＤｍ及び第２の発光素子群ＬＤｎの光量を、デイタイムランニングランプ、ターンランプ、及びクリアランスランプに対応するものに制御する。車両用灯具は、負荷切替回路３により、第１の発光素子群ＬＤｍ及び第２の発光素子群ＬＤｎの調光に使用するＰＷＭ制御信号と、第１の発光素子群ＬＤｍ及び第２の発光素子群ＬＤｎの何れか一方に切り替える切替タイミングを制御するためのＰＷＭ制御信号とを共通化している。なお、以降の説明においては、第１の発光素子群ＬＤｍにデイタイムランニングランプ又はクリアランスランプの機能を持たせ、第２の発光素子群ＬＤｎにターンランプの機能を持たせた場合を想定するが、これに限定されるものではない。
【００１４】
点灯回路１は、コンデンサＣ１に印加された入力電圧Ｖｉｎが供給される。入力電圧Ｖｉｎは、不図示のバッテリから供給される。点灯回路１は、昇圧回路１１、電流検知回路１２及びＤＣＤＣ制御回路１３を備えている。昇圧回路１１は、コイルＬ１、コンデンサＣ２、コンデンサＣ３、ツェナーダイオードＺＤ１、スイッチング素子Ｑ１及び抵抗Ｒ１を備えている。コイルＬ１は、一端が入力側に接続され、他端がツェナーダイオードＺＤ１のアノード側に接続されている。ツェナーダイオードＺＤ１のカソード側にはコンデンサＣ２の一端が接続されている。コンデンサＣ２の他端はグランドに接続されている。ツェナーダイオードＺＤ１と並列にコンデンサＣ３が接続されている。スイッチング素子Ｑ１は、ＮチャネルのＭＯＳＦＥＴである。スイッチング素子Ｑ１は、ドレイン側がツェナーダイオードＺＤ１のアノード側に接続され、ソース側が抵抗Ｒ１を介してグランドに接続され、ゲート側がＤＣＤＣ制御回路１３に接続されている。電流検知回路１２は、シャント抵抗Ｒ＿ＳＨから構成されている。ＤＣＤＣ制御回路１３は、電流検知回路１２の検知結果に応じて，スイッチング素子Ｑ１のスイッチング周波数を制御する。ＤＣＤＣ制御回路１３は、スイッチング周波数に応じて、スイッチング素子Ｑ１をオン状態及びオフ状態の何れか一方に制御することにより、昇圧回路１１の昇圧機能が実現される。
【００１５】
点灯回路１と、第１の発光素子群ＬＤｍとの間には、スイッチング素子Ｑ２が設けられている。スイッチング素子Ｑ２は、ＮチャネルのＭＯＳＦＥＴであり、ドレイン側が点灯回路１の出力側に接続され、ソース側が第１の発光素子群ＬＤｍに接続され、ゲート側が負荷切替回路３に接続されている。なお、第１の発光素子群ＬＤｍと並列に、抵抗Ｒ２及び抵抗Ｒ３の直列回路が接続され、抵抗Ｒ２及び抵抗Ｒ３を分圧した電圧Ｖ＿ｍが負荷切替回路３に入力される。
【００１６】
点灯回路１と、第２の発光素子群ＬＤｎとの間には、スイッチング素子Ｑ３が設けられている。スイッチング素子Ｑ３は、ＮチャネルのＭＯＳＦＥＴであり、ドレイン側が点灯回路１の出力側に接続され、ソース側が第２の発光素子群ＬＤｎに接続され、ゲート側が負荷切替回路３に接続されている。なお、第２の発光素子群ＬＤｎと並列に、抵抗Ｒ４及び抵抗Ｒ５の直列回路が接続され、抵抗Ｒ４及び抵抗Ｒ５を分圧した電圧Ｖ＿ｎが負荷切替回路３に入力される。
【００１７】
（回路構成）
図２は、本開示を適用した実施形態に係る負荷切替回路３の機能構成を示すブロック図である。負荷切替回路３は、点灯入力信号と、電圧Ｖ＿ｍと、電圧Ｖ＿ｎと、に基づき、電流設定信号、ＯＮ／ＯＦＦ制御信号又は第１の発光素子群ＬＤｍ接続信号若しくは第２の発光素子群ＬＤｎ接続信号を出力する。負荷切替回路３は、ＰＷＭ制御部３１、遅延回路３２、切替制御部３３、電流設定部３４及びＤＣＤＣ回路動作制御部３５を備えている。ＰＷＭ制御部３１は、電圧Ｖ＿ｍ及び電圧Ｖ＿ｎの何れか一方と、予め設定されたデューティー比と、に基づき、点灯回路１を制御するＰＷＭ制御信号を出力する。ＰＷＭ制御信号は、遅延回路３２と、ＤＣＤＣ回路動作制御部３５とに出力される。遅延回路３２は、ＰＷＭ制御部３１から出力されるＰＷＭ制御信号に基づき、第１の発光素子群ＬＤｍ及び第２の発光素子群ＬＤｎの何れか一方に切り替える切替タイミングを遅延させる。なお、遅延回路３２の詳細については後述する。
【００１８】
切替制御部３３は、遅延回路３２から出力される出力電圧と、点灯入力信号と、に基づき、切替タイミングを遅延させる遅延時間を決定する。切替制御部３３は、決定した遅延時間に基づき、切替時間遅延信号をＤＣＤＣ回路動作制御部３５に出力しつつ、スイッチング素子Ｑ２及びスイッチング素子Ｑ３の何れか一方をオン状態に制御する。切替制御部３３は、スイッチング素子Ｑ２をオン状態に制御するときには、第１の発光素子群ＬＤｍ接続信号をスイッチング素子Ｑ２のゲート側に供給する。切替制御部３３は、スイッチング素子Ｑ３をオン状態に制御するときには、第２の発光素子群ＬＤｎ接続信号をスイッチング素子Ｑ３のゲート側に供給する。点灯入力信号のうち、ＤＴＲＬはデイタイムランニングランプに対応する信号であり、ＣＬＬはクリアランスランプに対応する信号であり、ＴｒＬはターンランプに対応する信号である。
【００１９】
詳細については図４〜図６を用いて後述するが、切替時間遅延信号は、点灯入力信号がＤＴＲＬのときには第１の発光素子群ＬＤｍ点灯開始時間がＴｄのときに出力され、点灯入力信号がＴｒＬのときには第２の発光素子群ＬＤｎ点灯開始時間がＴｂのときに出力され、点灯入力信号がＣＬＬのときには第２の発光素子群ＬＤｎ点灯開始時間がＴｆのときに出力される。なお、第１の発光素子群ＬＤｍ点灯開始時間がＴｄであるときには、遅延回路３２の出力電圧はＶｄとなる。第２の発光素子群ＬＤｎ点灯開始時間がＴｂであるときには、遅延回路３２の出力電圧はＶｂとなる。第２の発光素子群ＬＤｎ点灯開始時間がＴｆであるときには、遅延回路３２の出力電圧はＶｆとなる。また、第１の発光素子群ＬＤｍと第２の発光素子群ＬＤｎとの切替遅延時間がＴａであるときには、遅延回路３２の出力電圧はＶａとなる。第１の発光素子群ＬＤｍと第２の発光素子群ＬＤｎとの切替遅延時間がＴｃであるときには、遅延回路３２の出力電圧はＶｃとなる。第１の発光素子群ＬＤｍと第２の発光素子群ＬＤｎとの切替遅延時間がＴｅであるときには、遅延回路３２の出力電圧はＶｅとなる。第１の発光素子群ＬＤｍと第２の発光素子群ＬＤｎとの切替遅延時間がＴｇであるときには、遅延回路３２の出力電圧はＶｇとなる。
【００２０】
ＤＣＤＣ回路動作制御部３５は、点灯入力信号と、切替時間遅延信号と、に基づき、ＯＮ／ＯＦＦ制御信号をＤＣＤＣ制御回路１３に出力する。ＤＣＤＣ回路動作制御部３５は、点灯入力信号が、ＤＴＲＬのときには第１の発光素子群ＬＤｍを一定電流で点灯させ、ＣＬＬのときにはＤＴＲＬのときの電流をＰＷＭ制御により調光して第１の発光素子群ＬＤｍを点灯させる。つまり、ＤＣＤＣ回路動作制御部３５は、点灯入力信号がＣＬＬのときには、ＤＴＲＬによる点灯状態にＰＷＭ制御を加えて調光する。なお、ＰＷＭ制御部３１がＤＣＤＣ回路動作制御部３５に出力するＰＷＭ制御信号は、例えば、周波数５００Ｈｚ及びオンデューティー値５％である。
【００２１】
点灯入力信号がＴｒＬであり、且つ第２の発光素子群ＬＤｎを点灯させる場合、点灯入力信号がＤＴＲＬで点灯している第１の発光素子群ＬＤｍを消灯することが法規要件として要求されるときがある。そこで、ＤＣＤＣ回路動作制御部３５は、デイタイムランニングランプとして点灯している第１の発光素子群ＬＤｍを含む回路構成からターンランプとして点灯させる第２の発光素子群ＬＤｎを含む回路構成に切り替えるとき、ＣＬＬ用のＰＷＭ制御信号を利用する。なお、ターンランプとして機能している第２の発光素子群ＬＤｎの点滅が完了し、点灯動作が終了すると、デイタイムランニングランプとして点灯していた第１の発光素子群ＬＤｍが再点灯される。
【００２２】
電流設定部３４は、点灯入力信号に応じた電流設定信号をＤＣＤＣ制御回路１３に出力する。これにより、第１の発光素子群ＬＤｍ及び第２の発光素子群ＬＤｎには、点灯入力信号に応じた入力電流が供給される。
【００２３】
図３は、本開示を適用した実施形態に係る遅延回路３２の回路構成例を示す図である。遅延回路３２は、時定数調整部３２１、時定数設定部３２２、遅延発生部３２３及びリセット部３２４を備えている。時定数設定部３２２は、抵抗Ｒ６と、抵抗Ｒ６に直列に接続されているコンデンサＣ５とを備え、切替タイミングを定める時定数を設定する。切替タイミングは、第１の発光素子群ＬＤｍ及び第２の発光素子群ＬＤｎの何れか一方に切り替えるタイミングであって、点灯入力信号に応じて遅延時間が変更される。時定数調整部３２１は、点灯入力信号に応じて、時定数設定部３２２により定められる時定数を調整する。時定数調整部３２１は、コンデンサＣ４、スイッチング素子Ｑ８及びスイッチング素子Ｑ９からなるスイッチトキャパシタから構成され、スイッチング素子Ｑ８及びスイッチング素子Ｑ９を排他的にオンオフ制御させる周期に応じた擬似抵抗成分であって、抵抗Ｒ６と直列に接続される可変抵抗成分として機能する。つまり、点灯入力信号に応じて、スイッチング素子Ｑ８及びスイッチング素子Ｑ９を排他的にオンオフ制御させる周期を変更すれば、時定数を任意に調整可能である。なお、スイッチング素子Ｑ８及びスイッチング素子Ｑ９のオン状態及びオフ状態の制御は、不図示の制御回路により実現可能である。
【００２４】
遅延発生部３２３は、ＰＷＭ制御信号を遅延させて出力させる。遅延発生部３２３は、コンデンサＣ６、コンデンサＣ７、インバータＩＮＶ１、インバータＩＮＶ２、スイッチング素子Ｑ１０及びスイッチング素子Ｑ１１を備えている。スイッチング素子Ｑ１０は、一端が時定数設定部３２２の出力に接続され、他端がコンデンサＣ６の一端とインバータＩＮＶ１の入力側との接続点に接続されている。スイッチング素子Ｑ１１は、一端がインバータＩＮＶ１の出力側に接続され、他端がコンデンサＣ７の一端とインバータＩＮＶ２の入力側との接続点に接続されている。なお、当業者であれば容易に理解できるのでその詳細についての説明は省略するが、スイッチング素子Ｑ１０及びスイッチング素子Ｑ１１は同時にはオン状態にさせないように制御する。リセット部３２４は、時定数調整部３２１、時定数設定部３２２及び遅延発生部３２３のそれぞれの内部状態をリセットする。リセット部３２４は、ＮチャネルのＭＯＳＦＥＴからなるスイッチング素子Ｑ４〜Ｑ７が並列に構成されている。スイッチング素子Ｑ４のドレイン側は抵抗Ｒ７を介してコンデンサＣ４の一端に接続されている。スイッチング素子Ｑ５のドレイン側は抵抗Ｒ８を介してコンデンサＣ５の一端に接続されている。スイッチング素子Ｑ６のドレイン側は抵抗Ｒ９を介してコンデンサＣ６の一端に接続されている。スイッチング素子Ｑ７のドレイン側は抵抗Ｒ１０を介してコンデンサＣ７の一端に接続されている。つまり、スイッチング素子Ｑ４〜Ｑ７をオン状態に制御すれば、コンデンサＣ４〜Ｃ７の電位が放電され、遅延回路３２の出力電圧はリセットされる。
【００２５】
（回路動作）
図４は、本開示を適用した実施形態に係るＤＴＲＬ点灯からＴｒＬ点灯切替時の遅延時間の設定例を説明するタイムチャートである。ターンランプがオン状態に制御される場合、ＤＣＤＣ制御回路１３は動作が停止し、遅延回路３２の出力電圧はリセットされる。ＰＷＭ制御信号に応じて遅延回路３２の出力電圧は上昇し始め、遅延回路３２の出力電圧が、第１の発光素子群ＬＤｍ／第２の発光素子群ＬＤｎ切替遅延時間であるＴａに対応するＶａになるまでに、点灯回路１から供給される入力電流の供給先を、第１の発光素子群ＬＤｍから第２の発光素子群ＬＤｎに切り替える。遅延回路３２の出力電圧が、第２の発光素子群ＬＤｎ点灯開始時間であるＴｂに対応するＶｂになったとき、ＤＣＤＣ制御回路１３を動作させる。
【００２６】
図５は、本開示を適用した実施形態に係るＤＴＲＬ点灯からＴｒＬ点灯切替後の遅延時間の設定例を説明するタイムチャートである。ＰＷＭ制御信号に応じて遅延回路３２の出力電圧は上昇し、Ｖｂを超えた後、ターンランプがオフ状態に制御され、ターンランプの点滅が完了し、ターンランプの点滅が完了したことが判定された場合、遅延回路３２の出力電圧が、第１の発光素子群ＬＤｍ／第２の発光素子群ＬＤｎ切替遅延時間であるＴｃに対応するＶｃになるまでに、点灯回路１から供給される入力電流の供給先を、第２の発光素子群ＬＤｎから第１の発光素子群ＬＤｍに切り替える。遅延回路３２の出力電圧が、第１の発光素子群ＬＤｍ点灯開始時間であるＴｄに対応するＶｄになったとき、ＤＣＤＣ制御回路１３を動作させる。なお、ターンランプが、オン状態、オフ状態及び点滅完了状態の何れであり、ターンランプの点滅完了が判定されたか否かはＤＣＤＣ回路動作制御部３５から出力されるＯＮ／ＯＦＦ制御信号に基づき、ＤＣＤＣ制御回路１３が判定できる。
【００２７】
図６は、本開示を適用した実施形態に係るＣＬＬ点灯からＴｒＬ点灯切替時の遅延時間の設定例を説明するタイムチャートである。第１の発光素子群ＬＤｍが消灯している間に第２の発光素子群ＬＤｎが点灯するように高速で切り替える動作が行われることで、クリアランスランプ及びターンランプの点灯が制御される。このとき、遅延回路３２の時定数も変更させる。なお、点灯入力信号の組み合わせで負荷となる第１の発光素子群ＬＤｍ及び第２の発光素子群ＬＤｎの点灯方式を、連続点灯及びＰＷＭ制御の何れかに切り替えつつ、電流設定値も変更させる。クリアランスランプが点灯中、ターンランプがオン状態に制御された場合、遅延回路３２の出力電圧が、第１の発光素子群ＬＤｍ／第２の発光素子群ＬＤｎ切替遅延時間であるＴｅに対応するＶｅになるまでに、点灯回路１から供給される入力電流の供給先を、第１の発光素子群ＬＤｍから第２の発光素子群ＬＤｎに切り替える。遅延回路３２の出力電圧が、第２の発光素子群ＬＤｎ点灯開始時間であるＴｆに対応するＶｆになったとき、ＤＣＤＣ制御回路１３を動作させる。遅延回路３２の出力電圧が、第１の発光素子群ＬＤｍ／第２の発光素子群ＬＤｎ切替遅延時間であるＴｇに対応するＶｇになるまでに、点灯回路１から供給される入力電流の供給先を、第２の発光素子群ＬＤｎから第１の発光素子群ＬＤｍに切り替える。なお、ターンランプは、クリアランスランプよりも光量が強いので、第２の発光素子群ＬＤｎを点灯させている間は、第２の発光素子群ＬＤｎに入力させる入力電流を増加させる。
【００２８】
（作用効果）
以上の説明から、本実施形態においては、ＰＷＭ制御信号に基づき、第１の発光素子群ＬＤｍ及び第２の発光素子群ＬＤｎの何れか一方に切り替える切替タイミングが遅延させられる。よって、ターンランプ、クリアランスランプ及びデイタイムランニングランプのそれぞれに応じた点灯回路１が実装されている必要はなく、これらを切り替える切替回路も、ターンランプ、クリアランスランプ及びデイタイムランニングランプのそれぞれに応じて必要とならない。さらに、専用のタイマーＩＣ又はマイコンが別途なくても、ターンランプ、クリアランスランプ、及びデイタイムランニングランプのうち、何れか１つが点灯時には他を消灯させることができるため、法規要件を満たす。よって、容量の大きい素子、専用回路及び冗長な高機能回路が不要であるため、高コスト且つ部品点数が増えることを回避できる。したがって、法規要件を満たしつつ、コスト削減及び小型化を実現することができる。
【００２９】
なお、ＰＷＭ制御信号に基づき、第１の発光素子群ＬＤｍ及び第２の発光素子群ＬＤｎの何れか一方に切り替える制御が行われるので、電力変換効率のロスを少なくすることができる。また、デイタイムランニングランプ、クリアランスランプ及びターンランプを１つの点灯回路１で点灯させることができるので、省スペースとなる。１つの点灯回路１にはＤＣＤＣ制御回路１３が１つで済むので、デイタイムランニングランプ、クリアランスランプ及びターンランプのそれぞれを点灯させる電力を供給させるＤＣＤＣ制御回路１３を共通化することができる。また、コンデンサＣ５及び抵抗Ｒ６を組み合わせて時定数を作る場合にＰＷＭ制御信号を組み合わせることで、単純にコンデンサＣ５及び抵抗Ｒ６を組み合わせる場合よりも、コンデンサＣ５の静電容量及び抵抗Ｒ６の抵抗値を低く抑えることができるため、コンデンサＣ５を特に値段が高い温度補償用のものにする必要がない。よって、特に顕著に低コストで回路構成を実現することができる。また、デイタイムランニングランプ、クリアランスランプ及びターンランプを個別に点灯することができるため、法規要件を確実に満たすことができる。
【００３０】
また、本実施形態においては、遅延回路３２から出力される出力電圧と、点灯入力信号と、に基づき、切替タイミングを遅延させる遅延時間が決定される。よって、簡易な構成で、第１の発光素子群ＬＤｍと、第２の発光素子群ＬＤｎとを排他制御することができる。したがって、法規要件を確実に満たしつつ、低コストの回路構成を実現することができる。
【００３１】
また、本実施形態においては、点灯入力信号に応じて、切替タイミングを定める時定数が調整される。よって、簡易な構成で切替タイミングを決定できるので、低コスト且つ小型化を特に顕著に実現することができる。
【００３２】
以上、本開示を適用した車両用灯具を実施形態に基づいて説明したが、本開示はこれに限定されるものではなく、本開示の趣旨を逸脱しない範囲で、変更を加えてもよい。
【００３３】
例えば、遅延発生部３２３が、コンデンサＣ６、コンデンサＣ７、インバータＩＮＶ１、インバータＩＮＶ２、スイッチング素子Ｑ１０及びスイッチング素子Ｑ１１を備えている構成例について説明したが、特にこれに限定されるものではなく、ＰＷＭ制御信号を遅延させることができる回路構成であればよい。また、時定数調整部３２１がスイッチトキャパシタから構成される一例について説明したが、特にこれに限定されるものではなく、時定数を調整できる回路構成であればよい。
【符号の説明】
【００３４】
１  点灯回路、１１  昇圧回路、１２  電流検知回路、１３  ＤＣＤＣ制御回路
３  負荷切替回路、３１  ＰＷＭ制御部
３２  遅延回路、３２１  時定数調整部、３２２  時定数設定部
３２３  遅延発生部、３２４  リセット部
３３  切替制御部、３４  電流設定部、３５  ＤＣＤＣ回路動作制御部
Ｖｉｎ  入力電圧、Ｃ１〜Ｃ７  コンデンサ、Ｌ１  コイル、Ｒ１〜Ｒ１０  抵抗
Ｒ＿ＳＨ  シャント抵抗、ＺＤ１  ツェナーダイオード
ＩＮＶ１，ＩＮＶ２  インバータ
Ｑ１〜Ｑ１１  スイッチング素子
ＬＤｍ  第１の発光素子群、ＬＤ＿Ａ１〜ＬＤ＿Ａｍ  発光素子
ＬＤｎ  第２の発光素子群、ＬＤ＿Ｂ１〜ＬＤ＿Ｂｎ  発光素子
Ｖ＿ｍ，Ｖ＿ｎ  電圧
【図１】
2019207820.tif 000003
【図２】
2019207820.tif 000004
【図３】
2019207820.tif 000005
【図４】
2019207820.tif 000006
【図５】
2019207820.tif 000007
【図６】
2019207820.tif 000008